(57)【要約】2ディーラーステーションを組み込んだ楕円形のポーカーテーブルは、各ディーラーステーションはそれぞれ以下のいずれかまたは複数のものを含む。即ち自動カードシャッフル、チップラック、ポーカーカードやドロップボックスを含む。一実施形態では、2つのディーラーステーションは、ポーカーテーブルの長辺に対向して配置され、互いにオフセットされてもよい。ポーカーテーブルのレイアウトは、チップの異なるセットに対応するために、各プレイヤーステーションに2つのチップ領域を含んでもよい。同時にプレイされている各ポーカーゲームはそれぞれ一つのチップがある。ポーカーテーブルのレイアウトは、 2つの区別の共通カード領域と賭け領域を示すことができる。チップセパレータは、プレーヤーチップスタックの独立性を維持するために、各プレイヤーステーションの近くに配置することができる。一つのポーカーテーブルは、ライブディーラーステーションと電子ポーカーシステムが組み込まれ、同時に複数のライブポーカーゲームと電子ポーカーゲームのプレイを可能にする。
2015509441.tif 000002
【特許請求の範囲】
【請求項１】
ポーカーテーブルであって、
一つのレイアウト; 
2ディーラーステーション、それぞれ一つ以上の下記のものを含む。
（1）自動カードシャッフル機。
（2）チップラックとチップ。 
（3）ポーカーカード、および 
（4）ドロップボックス、そして
ここで述べた2ディーラーステーションは同時に2つのポーカーゲームのプレイを行うことができる。
【請求項２】
請求項1に記載のポーカーテーブルに示されたレイアウトは、上記のレイアウトの各プレイヤーステーションが2つの区別チップ領域を有することを特徴とする。
【請求項３】
請求項1に記載のポーカーテーブルの形状は楕円形であることを特徴とする。  
【請求項４】
請求項3に記載のポーカーテーブルに示された2つのディーラーステーションは、ポーカーテーブルの長辺に沿って対向して配置されている。
【請求項５】
請求項1に記載のポーカーテーブルに示された自動カードシャッフル機はポーカーテーブルに統合されている。
【請求項６】
請求項1に記載のポーカーテーブルに示された2つのディーラーステーションはカットアウト領域で定義されている。
【請求項７】
請求項1に記載のポーカーテーブルに示されたレイアウトは、2つの区別の共通カード領域を示している。
【請求項８】
ポーカーテーブルであって、
一つのレイアウト; 
二つ以上のディーラーステーション、それぞれ一つ以上の下記のものを含む。
（1）自動カードシャッフル機。
（2）チップラックとチップ。 
（3）ポーカーカード、および
（4）ドロップボックス、そして
ここで述べた2つ以上のディーラーステーションは、同時に2つ以上のポーカーゲームのプレイを行うことができる。
【請求項９】
請求項8に記載のポーカーテーブルに示されたレイアウトは、各プレイヤーステーションの2つの区別チップ領域を示している。
【請求項１０】
請求項8に記載のポーカーテーブルは、ポーカーテーブルの形状が楕円形であることを特徴とする。
【請求項１１】
請求項10に記載のポーカーテーブルは、2つのディーラーステーションはポーカーテーブルの長辺に沿って対向して配置されていることを特徴とする。
【請求項１２】
請求項8に記載のポーカーテーブルに示された自動カードシャッフル機はポーカーテーブルに統合されている。 
【請求項１３】
請求項8に記載のポーカーテーブルに示された2つのディーラーステーションはカットアウト領域で定義されている。  
【請求項１４】
請求項8に記載のポーカーテーブルに示されたレイアウトは、2つの区別の共通カード領域を示している。
【請求項１５】
ポーカーテーブルであって、
複数のプレイヤーステーションと少なくとも2つのディーラーステーションを収容するように構成されたレイアウトは、上記のディーラーステーションはそれぞれ下記のいずれかまたは複数のものを含む。
（1）自動カードシャッフル機。
（2）チップラックとチップ。
（3）ポーカーカード、および
（4）ドロップボックス、そして
ここで述べた2つ以上のディーラーステーションは、同時に2つ以上のポーカーゲームのプレイを行うことができる。
【請求項１６】
請求項15に記載のポーカーテーブルは、前記レイアウトが各プレイヤーステーションの2つの区別チップ領域を示していることを示す。  
【請求項１７】
請求項15に記載のポーカーテーブルは、ポーカーテーブルの形状が楕円形であることを特徴とする。  
【請求項１８】
請求項17に記載のポーカーテーブルは、前記2ディーラーステーションがポーカーテーブルの長辺に沿って対向して配置されていることを示す。
【請求項１９】
請求項15に記載のポーカーテーブルに示された自動カードシャッフル機はポーカーテーブルに統合されている。
【請求項２０】
請求項15に記載のポーカーテーブルに示された前記2ディーラーステーションがカットアウト領域で定義されている。 
【請求項２１】
請求項15に記載のポーカーテーブルに示された前記レイアウトは、2つの区別の共通カード領域を示している。 
【請求項２２】
ポーカーテーブルであって、
一つのレイアウト;
それぞれ上記ポーカーテーブルの各プレイヤーステーションに取り付けられたチップスタックセパレーターと、
二つのディーラーステーションは、それぞれ下記のいずれかまたは複数のものを含む。
（1）自動カードシャッフル機。
（2）チップラックとチップ。
（3）ポーカーカード、および
（4）ドロップボックス、そして
ここで述べた2つのディーラーステーションは、同時に2つのポーカーゲームのプレイを行うことができる。
【請求項２３】
請求項22に記載のポーカーテーブルは、前記レイアウトの各プレイヤーステーションが2つの区別チップ領域を有することを示す。
【請求項２４】
請求項22に記載のポーカーテーブルは、ポーカーテーブルの形状が楕円形であることを特徴とする。
【請求項２５】
請求項24に記載のポーカーテーブルは、前記2ディーラーステーションがポーカーテーブルの長辺に沿って対向して配置されていることを示す。
【請求項２６】
請求項22に記載のポーカーテーブルに示された自動カードシャッフル機はポーカーテーブルに統合されている。  
【請求項２７】
請求項22に記載のポーカーテーブルはに示された前記2ディーラーステーションがカットアウト領域で定義されている。
【請求項２８】
請求項22に記載のポーカーテーブルに示された前記レイアウトは、2つの区別の共通カード領域を示している。 
【請求項２９】
請求項22に記載のポーカーテーブルは、前記レイアウトが各プレイヤーステーションの2つの区別ベッティングエリアを示していることを示す。
【請求項３０】
ポーカーテーブルであって、
それぞれ上記ポーカーテーブルの各プレイヤーステーションに取り付けられたチップセパレータと、
複数のプレイヤーステーションと少なくとも二つのディーラーステーションを収容するように構成されるレイアウトは、前記ディーラーステーションはそれぞれ下記のいずれかまたは複数のものを含む。
（1）自動カードシャッフル機。
（2）チップラックとチップ。
（3）ポーカーカード、および
（4）ドロップボックス、そして
ここで述べた2つ以上のディーラーステーションは、同時に2つ以上のポーカーゲームのプレイを行うことができる。
【請求項３１】
請求項30に記載のポーカーテーブルは、前記レイアウトが各プレイヤーステーションの2つの区別チップ領域を示していることを示す。  
【請求項３２】
請求項30に記載のポーカーテーブルは、ポーカーテーブルの形状が楕円形であることを特徴とする。 
【請求項３３】
請求項32に記載のポーカーテーブルは、前記2ディーラーステーションがポーカーテーブルの長辺に沿って対向して配置されていることを示す。
【請求項３４】
請求項30に記載のポーカーテーブルに示された自動カードシャッフル機はポーカーテーブルに統合されている。
【請求項３５】
請求項30に記載のポーカーテーブルに示された前記2ディーラーステーションはカットアウト領域で定義されている。   
【請求項３６】
請求項30に記載のポーカーテーブルに示された前記レイアウトは、2つの区別の共通カード領域を示している。 
【請求項３７】
請求項30に記載のポーカーテーブルに示された前記レイアウトは、各プレイヤーステーションの2つの区別ベッティングエリアを示している。
【請求項３８】
ポーカーテーブルであって、
一つのレイアウト;
一つのライブディーラーステーションは、それぞれ下記のいずれかまたは複数のものを含む。
（1）自動カードシャッフル機。
（2）チップラックとチップ。
（3）ポーカーカード、および
（4）ドロップボックス。
各プレイヤーステーションは一つのディスプレイを備えること。プレイヤーのディスプレイは、各プレイヤーのホールカードを表示するように構成されている。
共通カードを表示するように構成された共通のディスプレイ。
各プレイヤーステーションは、プレイヤーがポーカーゲームの決定を行うことができるように構成されている一つのユーザインターフェースを備える。
上記のディスプレイ、共通カードディスプレイとユーザインターフェースプの制御に用いられるロセッサと、
ここで述べたライブディーラーステーションは、ライブディーラーが最初のポーカーゲームを制御すること、上記のプロセッサが第二のポーカーゲームを制御することを許し、上記のプレイヤーディスプレイ、共通カードディスプレイとユーザインターフェースプを経由して、ほぼ同時に第一のポーカーゲームに入る。
【発明の詳細な説明】
【相互参照】
【０００１】
当出願は、2012年３月9に提出された米国特許出願第13/416,347号の一部継続であり、あらゆる目的で本明細書に組み込まれる。
【技術分野】
【０００２】
この発明の実施形態は、二つ以上のディーラーを収容することによって、同時に二つ以上のポーカーゲームを行うように構成されるポーカーテーブルに関する。
【背景技術】
【０００３】
従来のカジノスタイルのポーカーテーブルの形状は楕円形であり、 10または11のプレイヤーと１のディーラーに対応する。ポーカーテーブルは、ディーラーがテーブルの近くに快適に座れる、ステーションを切り抜きするテーブルを含むので、ディーラーはカードをプレイヤーに配ってチップをプレイヤーに渡し、およびプレイヤーからディーラーの方向に渡されたチップやカードに到達することを可能にする。
【０００４】
出願人は、ポーカーゲームのコンセプトを発明した。これによりプレイヤーは同時に2つのポーカーゲームをプレイすることができる。従って、2つのディーラーを収容することによって同時に2つのポーカーゲームを行うように設定された新しいポーカーテーブルを開発することが有利である。
【発明の概要】
【０００５】
本発明の実施形態は、楕円形のポーカーテーブルに向けられ、二つのディーラーステーションを組み込んで、各ディーラーステーションは次の一つ以上を含む。即ち自動カードシャッフル機、チップラックとチップ、ポーカーカードやドロップボックス。一実施形態では、2つディーラーステーションは、ポーカーテーブルの長辺に対向して配置され、互いにオフセットされてもよい。ポーカーテーブルレイアウトは各プレイヤーの位置に2チップ領域を含むことができる。ポーカーチップの異なる識別可能なセットに対応するために、同時にプレイされている各ポーカーゲームはそれぞれ1つ。一実施形態では、ポーカーテーブルは、更に同時にプレイされている各ポーカーゲームの独立性を維持するために、各ディーラーのステーションの近くにある2つの一般的なカード領域を描く。
【０００６】
別の実施形態では、単一のチップセットを使用して、各ゲームに識別可能な賭け領域を配置/示し、テーブルには各プレイヤーの位置に位置する物理的なチップスタックのセパレータを内蔵している。
【０００７】
別の実施形態では、1ディーラーは、ライブ人間であってもよく、 1ディーラーは電子・プロセッサによって駆動されてもよい。別の実施形態では、2つの独立したディーラーのステーションを有するポーカーテーブルは、単一のディーラーテーブル付きのディーラーテーブルに変換することができる 
【０００８】
本発明の他の変形例、実施形態および特徴は、以下の詳しい説明、図面及び特許請求範囲より証明される。
【図面の簡単な説明】
【０００９】
【図１】図1は、本発明実施形態に係るポーカーテーブルの俯瞰図である。
【図２】図2は、本発明実施形態によるディーラーステーションに近接する異なる共通カードエリアを有する図1のポーカーテーブルの俯瞰図である。
【図３】図3は、本発明の実施形態による単一チップセットの実施形態に適する別個の賭け領域を有するプレイヤーの位置の俯瞰図である。
【図４】図4は、本発明の実施形態による各プレイヤーのチップの独立性を維持するために、各プレイヤーテーションに用いられる使用可能タイプのチップスタックのセパレータの断面斜視図である。および
【図５】図5は、本発明の実施形態に係るポーカーテーブルの俯瞰図であり、単一のライブディーラーのステーションと電子ディーラーを促進するプレイヤーディスプレイを有する。
【発明を実施するための形態】
【００１０】
本発明の実施形態による原理の理解を促進するために、図面に示された実施形態について参考を提供し、尚且つ特定の言語で説明する。しかし、それは本発明の範囲を限定する意図ではないことが理解される。本明細書に示す本発明の任意の変更及び特徴の更なる修正、および本明細書に例示される本発明原理の任意のさらなる用途は、通常、関連技術及び本開示を有する当業者が実施されると思われ、本発明の特許請求範囲内であるとみなされるべきである。
【００１１】
図1は、本発明の実施形態に係るポーカーテーブル100の俯瞰図である。図示のように、ポーカーテーブル100の形状は楕円形であるが、当業者であれば、他の形状（例えば、円形や正方形）でも可能であることを認識される。ポーカーテーブル100は、ディーラーステーション110-1と110-2のペアを内蔵し、 10プレイヤーテーションにある115-1から115-10までの10プレイヤーを収容する。ポーカーテーブル100は、10以上あるいは10以下のプレイヤーテーションを収容することができる。実施形態によれば、各ディーラーステーション110-1と110-2は、自動カードシャッフル機120、チップラック及びチップ130とドロップボックス140を含むことができる。一実施形態では、図示のように、ディーラーステーション110-1及び110-2は、ポーカーテーブル100の長辺に対向して配置され、互いにオフセットされている。他のディーラーステーションの位置は、本発明実施形態の範囲および精神から逸脱しなくてもいい。各ディーラーステーション110-1と110-2は、切り出し領域112で定義される。二つのディーラーステーション110-1と110-2は、ポーカーテーブル100で同時に2ポーカーゲームをプレイすることを可能にする。2ディーラーステーション110-1及び110-2が示されているが、2つ以上のディーラーステーションが考えられる。パッド入り手すり155は、従来の様式でポーカーテーブル100に外接する。
【００１２】
ポーカーテーブルのレイアウト150は、各プレイヤーステーション115-1〜115-10の2チップ領域を示している。2チップ領域160 、165は 、ポーカーチップのように、プレイヤーが二つのポーカーゲームからのチップを互いに分離するように、異なる色または別の方法で区別することができる。図2は図１のポーカーテーブル図100を示し、ディーラーステーション110-1と110-2に近接の共通カード領域170-1と170-2を有する。共通カード領域170-1と170-2は、異なる色の境界線または別の区別方法で定義することができる。
【００１３】
一実施形態では、単一のチップセットは2ポーカーゲームをプレイするために用いることができる（例えば、リミットテキサスホールデム） 。このような実施形態では、ポーカーチップを分離する時に、どのポットにどのチップを配置するべきかを知ることが重要である。図3は、テーブルレイアウト200を示し、各プレイヤーテーション210-1〜210-10の近くに複数の賭け領域205-1および210-10（一つのプレイヤーの位置のために205-1, 205-2という一組だけの賭け領域が示されているが）。一実施形態では、各ポーカーゲーム用カードおよび各ポーカーゲームの賭け領域は色分けされている。例えば、第一のポーカーゲームに、カード、共通カード領域と賭け領域は赤色であり、第二のポーカーゲームに、カード、共通カード領域と賭け領域は青色である。同様に、ディーラーボタンは、対応するポーカーゲームの色と一致するように色分けされてもよい。
【００１４】
別の実施形態では、図4に示すように、各プレイヤーのチップスタックは各プレイヤーステーション210-1〜210-10の物理的なチップスタックのセパレータ215を使用して分離することができる。図に示されているように、物理的なチップスタックのセパレータ215は、ポーカーテーブル217内のスロット又は溝216から伸び出して、最初のポーカーゲームに関連するチップに用いられる第1のチップ面積218と第2のポーカーゲームに関連するチップに用いられる第2チップ面積219の間に障壁を形成するために、チップスタックのセパレータ215は、プレイヤーが故意または不注意で最初のポーカーゲームからのチップを第2のポーカーゲームからのチップとミックスする機会を減らす。
【００１５】
別の実施形態では、2つの同時ポーカーハンドは、ライブディーラーステーション400に位置するライブディーラー、およびプロセッサ（図示無し）に制御される電子ディーラーによって管理される。このような実施形態では、図5に示すように、テーブル300に位置する各プレイヤーステーションは、ディスプレイ405 、および共通カードを表示するために用いられる一般的なディスプレイ410を含む。プロセッサは、乱数発生器を含み、あるいは乱数発生器と通信し、前記プレイヤーディスプレイ405と共通カードディスプレイ410を制御することによって1ポーカーゲームのプレイを促進する。ディスプレイ405に組み込まれたユーザ・インターフェースは、プレイヤーがポーカーゲームの決定を行うことを可能にするように構成され、賭け、手札を捨て、レイズ、コールを含む。電子ポーカーテーブルは、当該分野で公知であるので、本明細書に詳しく説明する必要はない。本社がノースカロライナ州に位置するPokerPro by PokerTek社は、そのような電子ポーカーテーブルの促進販売を行っている。上述したように、2つのライブディーラーに対して、ライブディーラー、電子ディーラー/システムは、ポーカーテーブルで、実質的に同時に2つのポーカーゲームを行う。2ポーカーゲームを一緒に起動するように設定されている場合は、ライブディーラーはポーカーテーブルに統合されたゲームのインターフェースを介して、または遠隔制御ユニットを介して電子ディーラーの開始をトリガすることができる。2ポーカーゲームは、互いに独立して継続するように構成されている場合、電子ディーラー/システムが電子ポーカーゲームを処理しながら、ライブディーラーはライブポーカーゲームに焦点を当てるだけで済む。              
【００１６】
以上詳述したように、ポーカーテーブル100と300およびポーカーテーブルレイアウト150および200は、同時に2つのポーカーゲームのプレイを容易にする。同時に2つのポーカーゲームのプレイを行うポーカープレイヤーによる「アクション」の必要性を満たし、特にオンライン環境で同時に複数のテーブルゲームを行うことに慣れている若いプレイヤーに適する。それに、カードルームやポーカークラブは追加的なポーカーテーブルの収益から利益を取ることができ、大幅に間接費（例えば、追加のディーラー）を増やす必要がなく、通常のポーカーテーブルの収入より2倍ぐらい大きくなることができる。
【００１７】
ポーカーテーブル100は、テキサスホールデム、オマハ、セブンカードスタッドを含める、同時に任意の数のポーカーゲームを行うことができる。
【００１８】
本発明は、いくつかの実施形態を参照して詳しく説明したが、本発明の範囲および精神内に、付加的な変形及び変更は存在する。その定義は以下の特許請求範囲に記載された。
【図１】
2015509441.tif 000003
【図２】
2015509441.tif 000004
【図３】
2015509441.tif 000005
【図４】
2015509441.tif 000006
【図５】
2015509441.tif 000007
【国際調査報告】
2015509441.tif 000008
2015509441.tif 000009